(57)【要約】【課題】ユーザが知らない店舗情報であっても入力候補として表示することができるようにする。【解決手段】所定の文字列と店舗名および店舗の存在位置を示すデータとが対応付けられたレコードを記憶するデータベースを備え、携帯端末装置は、入力された文字のデータを記憶部に書き込み、書き込まれた文字のデータに応じた画像を表示部に表示させる文書作成手段を含み、記憶部に書き込んだ文字のデータに対応する店舗名を示すデータをデータベースから抽出する店舗データ抽出手段と、抽出した店舗名を示すデータに応じた画像を表示部に表示させる候補店舗名表示制御手段と、店舗名を示すデータに応じた画像を表示部に表示させた後に、抽出した店舗名を示すデータを含むレコードから、店舗の存在位置を示すデータを含むレコードを所定の位置情報にもとづいて選択し、店舗名を示すデータに応じた画像を表示部に表示させる推奨店舗名表示制御手段とを備える。【選択図】図１
2009175855.tif 000002
【特許請求の範囲】
【請求項１】
電子メール送信機能を有する携帯端末装置の表示部に店舗情報を表示させる店舗情報表示システムであって、
所定の文字列と店舗名および店舗の存在位置を示すデータとが対応付けられたレコードを記憶するデータベースを備え、
前記携帯端末装置は、入力された文字のデータを記憶部に書き込み、記憶部に書き込まれた文字のデータに応じた画像を前記表示部に表示させる文書作成手段を含み、
前記文書作成手段が前記記憶部に書き込んだ文字のデータに対応する店舗名を示すデータを前記データベースから抽出する店舗データ抽出手段と、
前記店舗データ抽出手段が抽出した店舗名を示すデータに応じた画像を前記表示部に表示させる候補店舗名表示制御手段と、
前記候補店舗名表示制御手段が店舗名を示すデータに応じた画像を前記表示部に表示させた後に、前記店舗データ抽出手段が抽出した店舗名を示すデータを含むレコードから、前記文書作成手段が前記記憶部に書き込んだ文字のデータに対応する店舗の存在位置を示すデータを含むレコードを所定の位置情報にもとづいて選択し、選択したレコードに含まれる店舗名を示すデータに応じた画像を前記表示部に表示させる推奨店舗名表示制御手段とを備えた
ことを特徴とする店舗情報表示システム。
【請求項２】
推奨店舗名表示制御手段は、文書作成手段が記憶部に書き込んだ文字のデータに対応する店舗の存在位置を示すデータを含むレコードを選択する
請求項１記載の店舗情報表示システム。
【請求項３】
携帯端末装置は、ＧＰＳ機能によって自機の存在位置を検出するＧＰＳ手段を含み、
推奨店舗名表示制御手段は、前記ＧＰＳ手段が検出した存在位置に対応する店舗の存在位置を示すデータを含むレコードを選択する
請求項１記載の店舗情報表示システム。
【請求項４】
文書作成手段は、電子メールを作成する手段である
請求項１から請求項３のうちのいずれかに記載の店舗情報表示システム。
【請求項５】
携帯端末装置と通信可能なサーバ装置を備え、
前記サーバ装置が、店舗データ抽出手段を含む
請求項１から請求項４のうちのいずれかに記載の店舗情報表示システム。
【請求項６】
電子メール送信機能を有する携帯端末装置であって、
入力された文字のデータを記憶部に書き込み、記憶部に書き込まれた文字のデータに応じた画像を前記表示部に表示させる文書作成手段と、
前記文書作成手段が前記記憶部に書き込んだ文字のデータに対応する店舗名を示すデータを、所定の文字列と店舗名および店舗の存在位置を示すデータとが対応付けられたレコードを記憶するデータベースから抽出する店舗データ抽出手段と、
前記店舗データ抽出手段が抽出した店舗名を示すデータに応じた画像を前記表示部に表示させる候補店舗名表示制御手段と、
前記候補店舗名表示制御手段が店舗名を示すデータに応じた画像を前記表示部に表示させた後に、前記店舗データ抽出手段が抽出した店舗名を示すデータを含むレコードから、前記文書作成手段が前記記憶部に書き込んだ文字のデータに対応する店舗の存在位置を示すデータを含むレコードを所定の位置情報にもとづいて選択し、選択したレコードに含まれる店舗名を示すデータに応じた画像を前記表示部に表示させる推奨店舗名表示制御手段とを備えた
ことを特徴とする携帯端末装置。
【請求項７】
推奨店舗名表示制御手段は、文書作成手段が記憶部に書き込んだ文字のデータに対応する店舗の存在位置を示すデータを含むレコードを選択する
請求項６記載の携帯端末装置。
【発明の詳細な説明】
【技術分野】
【０００１】
本発明は、テキスト入力時に店舗情報を表示する店舗情報表示システムおよび携帯端末装置に関する。
【背景技術】
【０００２】
近年、ユーザが文字を入力する際の負担を減らすための機能として、予測変換候補を表示する機能が搭載されている携帯電話機が普及している。
【０００３】
文字入力時におけるユーザの作業負担を軽減し、辞書データベースから参照される候補の最適化を可能とし、ユーザにとってより使いやすい文字入力支援を実現可能とする携帯情報端末が提案されている（例えば、特許文献１参照）。特許文献１には、通話音声データから抽出したキーワードを通話関連データベースに登録し、予測変換候補として表示することが記載されている。
【０００４】
【特許文献１】特開２００７−１０８８８１号公報（段落００２５−００２７）
【発明の開示】
【発明が解決しようとする課題】
【０００５】
しかし、特許文献１に記載された方式では、予測変換候補として表示することができるのは、ユーザの通話に含まれる単語である。したがって、ユーザの通話に含まれない情報、例えば、ユーザが知らない情報を予測変換候補として表示することはできない。
【０００６】
例えば、携帯電話機のメール機能を用いて、友人と食事に行く相談をすることがある。友人とメールのやりとりをして、どこで何を食べるかが決まっても、ユーザが知らない店名等の情報を予測変換候補として表示することはできない。店名等を調べるためには、一般に、メーラを終了させてから携帯電話機に搭載されているブラウザなどを用いて店名等を検索しなければならず、手間がかかる。
【０００７】
そこで、本発明は、ユーザが知らない店舗情報であっても入力候補として表示することができる店舗情報表示システムおよび携帯端末装置を提供することを目的とする。
【課題を解決するための手段】
【０００８】
本発明による店舗情報表示システムは、電子メール送信機能を有する携帯端末装置の表示部に店舗情報を表示させる店舗情報表示システムであって、所定の文字列と店舗名および店舗の存在位置を示すデータとが対応付けられたレコードを記憶するデータベースを備え、携帯端末装置は、入力された文字のデータを記憶部に書き込み、記憶部に書き込まれた文字のデータに応じた画像を表示部に表示させる文書作成手段を含み、文書作成手段が記憶部に書き込んだ文字のデータに対応する店舗名を示すデータをデータベースから抽出する店舗データ抽出手段と、店舗データ抽出手段が抽出した店舗名を示すデータに応じた画像を表示部に表示させる候補店舗名表示制御手段と、候補店舗名表示制御手段が店舗名を示すデータに応じた画像を表示部に表示させた後に、店舗データ抽出手段が抽出した店舗名を示すデータを含むレコードから、文書作成手段が記憶部に書き込んだ文字のデータに対応する店舗の存在位置を示すデータを含むレコードを所定の位置情報にもとづいて選択し、選択したレコードに含まれる店舗名を示すデータに応じた画像を表示部に表示させる推奨店舗名表示制御手段とを備えたことを特徴とする。
【０００９】
本発明による携帯端末装置は、電子メール送信機能を有する携帯端末装置であって、入力された文字のデータを記憶部に書き込み、記憶部に書き込まれた文字のデータに応じた画像を表示部に表示させる文書作成手段と、文書作成手段が記憶部に書き込んだ文字のデータに対応する店舗名を示すデータを、所定の文字列と店舗名および店舗の存在位置を示すデータとが対応付けられたレコードを記憶するデータベースから抽出する店舗データ抽出手段と、店舗データ抽出手段が抽出した店舗名を示すデータに応じた画像を表示部に表示させる候補店舗名表示制御手段と、候補店舗名表示制御手段が店舗名を示すデータに応じた画像を表示部に表示させた後に、店舗データ抽出手段が抽出した店舗名を示すデータを含むレコードから、文書作成手段が記憶部に書き込んだ文字のデータに対応する店舗の存在位置を示すデータを含むレコードを所定の位置情報にもとづいて選択し、選択したレコードに含まれる店舗名を示すデータに応じた画像を表示部に表示させる推奨店舗名表示制御手段とを備えたことを特徴とする。
【発明の効果】
【００１０】
本発明によれば、ユーザが知らない店舗情報であっても入力候補として表示することができるという効果がある。
【発明を実施するための最良の形態】
【００１１】
まず、本発明の概要について図面を参照して説明する。図１は、本発明による店舗情報表示システムの最小の構成例を示すブロック図である。図１に例示する店舗情報表示システムは、携帯端末装置１１０と、データベース１４０と、店舗データ抽出手段１と、候補店舗名表示制御手段２と、推奨店舗名表示制御手段３とを備える。店舗情報表示システムは、電子メール送信機能を有する携帯端末装置１１０の表示部１０１に店舗情報を表示させるシステムである。
【００１２】
データベース１４０は、所定の文字列と店舗名および店舗の存在位置を示すデータとが対応付けられたレコードを記憶する。
【００１３】
携帯端末装置１１０は、入力された文字のデータを記憶部１０２に書き込み、記憶部１０２に書き込まれた文字のデータに応じた画像を表示部１０１に表示させる文書作成手段１０３を含む。
【００１４】
店舗データ抽出手段１は、文書作成手段１０３が記憶部１０２に書き込んだ文字のデータに対応する店舗名を示すデータをデータベース１４０から抽出する。
【００１５】
候補店舗名表示制御手段２は、店舗データ抽出手段１が抽出した店舗名を示すデータに応じた画像を表示部１０１に表示させる。
【００１６】
推奨店舗名表示制御手段３は、候補店舗名表示制御手段２が店舗名を示すデータに応じた画像を表示部１０１に表示させた後に、店舗データ抽出手段１が抽出した店舗名を示すデータを含むレコードから、文書作成手段１０３が記憶部１０２に書き込んだ文字のデータに対応する店舗の存在位置を示すデータを含むレコードを所定の位置情報にもとづいて選択し、選択したレコードに含まれる店舗名を示すデータに応じた画像を表示部１０１に表示させる。
【００１７】
図１に示すように構成すれば、ユーザが知らない店舗情報であっても入力候補として表示することができる。
【００１８】
次に、本発明の実施形態を図面を参照して説明する。図２は、本実施形態の店舗情報表示システムの概要を説明するための説明図である。図２に示す店舗情報表示システムは、携帯端末装置（携帯端末）１１０と、データベース１４０とを備える。
【００１９】
携帯端末１１０は、例えば、プログラムにしたがって動作する携帯電話機等であって、インターネット接続機能とテキスト入力機能とを有する。携帯端末１１０は、店舗データ抽出手段１と、候補店舗名表示制御手段２と、推奨店舗名表示制御手段３とを有する（図１参照。）。また、携帯端末１１０は、テキスト入力機能において、入力された文字から文字列を予測し、入力候補として表示する機能を有する。
【００２０】
データベース１４０は、具体的には、データベースサーバのハードディスク装置等の記憶装置であって、データベーステーブル１３０を記憶する。データベーステーブル１３０は、例えば、通信キャリア各社によって作成される。図２に例示するように、データベーステーブル１３０には、所定の文字列であるキーワードと、場所情報と、店名とが対応付けられたレコードが設定されている。
【００２１】
携帯端末１１０とデータベース１４０とは、例えば、インターネット等の通信ネットワークを介して、通信可能に接続される。
【００２２】
図３は、携帯端末１１０のテキスト入力画面の例を示す説明図である。図３に示すように、テキスト入力画面は、予測変換候補表示欄２０１と、店舗候補表示欄２０２とを含む。予測変換候補表示欄２０１には、入力された文字から予測される文字列（予測変換候補）が表示される。
【００２３】
携帯端末１１０にキーワードが入力された場合、店舗データ抽出手段１は、入力されたキーワードに基づいて、データベーステーブル１３０から店名を含む情報を抽出する。候補店舗名表示制御手段２は、店舗データ抽出手段１が抽出した店名を、入力候補として店舗候補表示欄２０２に表示させる制御を実行する。
【００２４】
また、候補店舗名表示制御手段２が店名を入力候補として店舗候補表示欄２０２に表示させる制御を実行した後に、場所を示す情報（場所情報）が入力された場合、推奨店舗名表示制御手段３は、店舗データ抽出手段１が抽出した店名を含むレコードから、入力された場所を示す情報に応じたレコードを選択する。推奨店舗名表示制御手段３は、選択したレコードに含まれる店名を、入力候補として店舗候補表示欄２０２に表示させる制御を実行する。
【００２５】
次に、図２〜図４を参照して本実施形態の動作について説明する。図４は、本実施形態の店舗情報表示システムの動作を示すフローチャートである。以下、ユーザ１２０が、携帯端末１１０のメール機能を利用して、友人を焼肉を食べに誘う場合を例にして説明する。また、データベーステーブル１３０に、図２に示すデータが登録されている場合を例にして説明する。
【００２６】
携帯端末１１は、ユーザ１２０の操作等に応じて、テキスト入力画面を表示する（ステップＳ１）。店舗データ抽出手段１は、テキスト入力画面において文字列が入力されると（ステップＳ２）、データベース１４０にアクセスする。
【００２７】
店舗データ抽出手段１は、入力された文字列に基づいてデータベーステーブル１３０を検索し、入力された文字列がキーワードとして登録されているか否かを判断する（ステップＳ３）。店舗データ抽出手段１は、入力された文字列がキーワードとして登録されていると判断した場合（Ｙｅｓ）、ステップＳ４に移行し、登録されていないと判断した場合（Ｎｏ）、ステップＳ１に移行する。
【００２８】
例えば、店舗データ抽出手段１は、図２に示すように、テキスト入力画面１１１において「焼肉」と入力されると、データベース１４０にアクセスし、「焼肉」をキーとしてデータベーステーブル１３０のキーワードを検索する。図２に示す例では、データベーステーブル１３０のＮｏ．１，２，４のレコードにおいて、キーワードとして「焼肉」が登録されているため、店舗データ抽出手段１は、入力された文字列がキーワードとして登録されていると判断し、ステップＳ４に移行する。
【００２９】
ステップＳ４において、店舗データ抽出手段１は、データベーステーブル１３０から、入力された文字列がキーワードとして登録されているレコードを抽出する。店舗データ抽出手段１は、例えば、データベーステーブル１３０から抽出したレコードを含むテーブル１３１を生成する。
【００３０】
また、候補店舗名表示制御手段２は、店舗データ抽出手段１がデータベーステーブル１３０から抽出したレコードに含まれる店名を、入力候補として店舗候補表示欄２０２に表示させる。候補店舗名表示制御手段２は、例えば、店舗データ抽出手段１が生成したテーブル１３１に基づいて店舗候補表示欄２０２に店名を表示させる。
【００３１】
例えば、店舗データ抽出手段１は、データベーステーブル１３０から、Ｎｏ．１，２，４のレコードを抽出する。また、候補店舗名表示制御手段２は、Ｎｏ．１，２，４のレコードに含まれる店名である「○○亭」「焼肉△△△」「□□□」を入力候補として店舗候補表示欄２０２に表示させる（テキスト入力画面１１１参照。）。候補店舗名表示制御手段２がステップＳ４の処理を実行後、ステップＳ１に移行し、携帯端末１１は、テキスト入力画面を表示する。
【００３２】
続いて、例えば、図２に示すように、テキスト入力画面１１２において「浦安あたり」と入力されると（ステップＳ２）、推奨店舗名表示制御手段３はデータベース１４０にアクセスする。
【００３３】
推奨店舗名表示制御手段３は、例えば、ステップＳ３において、データベーステーブル１３０を検索し、ステップＳ４において、「焼肉」がキーワードとして登録されていて、かつ「浦安」が場所情報として登録されているレコードを抽出する。推奨店舗名表示制御手段３は、例えば、データベーステーブル１３０のレコードのうち、店舗データ抽出手段１が抽出したレコードから、「浦安」が場所情報として登録されているレコードを抽出して、テーブル１３２を生成する。
【００３４】
図２に示す例では、データベーステーブル１３０のＮｏ．１のレコードにおいて、キーワードとして「焼肉」が登録され、場所情報として「浦安」が登録されているため、推奨店舗名表示制御手段３は、データベーステーブル１３０から、Ｎｏ．１のレコードを抽出する。また、推奨店舗名表示制御手段３は、Ｎｏ．１のレコードに含まれる店名である「○○亭」を入力候補として店舗候補表示欄２０２に表示させる（テキスト入力画面１１２参照。）。
【００３５】
ユーザ１２０は、店舗候補表示欄２０２に表示されている「○○亭」で食事をすることを決定し、テキスト入力画面１１３に示すようなメールを作成して友人を誘うことができる。例えば、ユーザ１２０の操作により、店舗候補表示欄２０２に表示されている「○○亭」が選択され、テキスト入力画面１１３に表示されるため、簡単にテキスト入力画面１１３に示すようなメールを作成することができる。
【００３６】
以上に説明したように、本実施形態によれば、テキスト入力時に、入力された単語に関連する店舗情報を入力候補として表示することができる。
【００３７】
なお、本実施形態では、テキスト入力としてメールを作成する場合を例にしたが、例えば、メモを入力する場合などであってもよく、メールを作成する場合に限定されない。
【００３８】
また、本実施形態では、場所情報がユーザによって入力される場合を例にしたが、場所に関するキーワードが入力されなくても、ＧＰＳ信号に基づいてユーザ１２０（携帯端末１１０）の現在地を測定し、自動的に現在地近辺の店舗情報に絞り込んでもよい。この場合、携帯端末１１０は、ＧＰＳ機能によってＧＰＳ衛星からの電波に基づいて自機の位置を検出するＧＰＳ手段を含む。
【００３９】
また、上記の実施形態では、携帯端末１１０が店舗データ抽出手段１を有する場合を例にしたが、携帯端末１１０と通信可能なサーバ装置が店舗データ抽出手段１を有してもよい。
【００４０】
また、データベーステーブル１３０に設定される情報は、キーワード、場所情報および店名のみに限定されない。
【００４１】
なお、上記に示した実施形態では、以下の（１）〜（５）に示すような特徴的構成を備えた店舗情報表示システムが示されている。
【００４２】
（１）電子メール送信機能を有する携帯端末装置（例えば、携帯端末装置１１０で実現される）の表示部（例えば、表示部１０１で実現される）に店舗情報を表示させる店舗情報表示システムであって、所定の文字列と店舗名および店舗の存在位置を示すデータとが対応付けられたレコードを記憶するデータベース（例えば、データベース１４０で実現される）を備え、携帯端末装置は、入力された文字のデータを記憶部（例えば、記憶部１０２で実現される）に書き込み、記憶部に書き込まれた文字のデータに応じた画像を表示部に表示させる文書作成手段（例えば、文書作成手段１０３で実現される）を含み、文書作成手段が記憶部に書き込んだ文字のデータに対応する店舗名を示すデータをデータベースから抽出する店舗データ抽出手段（例えば、店舗データ抽出手段１で実現される）と、店舗データ抽出手段が抽出した店舗名を示すデータに応じた画像を表示部に表示させる候補店舗名表示制御手段（例えば、候補店舗名表示制御手段２で実現される）と、候補店舗名表示制御手段が店舗名を示すデータに応じた画像を表示部に表示させた後に、店舗データ抽出手段が抽出した店舗名を示すデータを含むレコードから、文書作成手段が記憶部に書き込んだ文字のデータに対応する店舗の存在位置を示すデータを含むレコードを所定の位置情報にもとづいて選択し、選択したレコードに含まれる店舗名を示すデータに応じた画像を表示部に表示させる推奨店舗名表示制御手段（例えば、推奨店舗名表示制御手段３で実現される）とを備えたことを特徴とする店舗情報表示システム。
【００４３】
（２）推奨店舗名表示制御手段は、文書作成手段が記憶部に書き込んだ文字のデータに対応する店舗の存在位置を示すデータを含むレコードを選択する店舗情報表示システム。そのように構成された店舗情報表示システムは、携帯端末に入力された文字のデータに基づいて、店舗名を示すデータに応じた画像を表示部に表示させることができる。
【００４４】
（３）携帯端末装置は、ＧＰＳ機能によって自機の存在位置を検出するＧＰＳ手段を含み、推奨店舗名表示制御手段は、ＧＰＳ手段が検出した存在位置に対応する店舗の存在位置を示すデータを含むレコードを選択する店舗情報表示システム。そのように構成された店舗情報表示システムは、ＧＰＳ手段が検出した存在位置に基づいて、店舗名を示すデータに応じた画像を表示部に表示させることができる。
【００４５】
（４）文書作成手段は、電子メールを作成する手段である店舗情報表示システム。そのように構成された店舗情報表示システムは、電子メールの作成中に店舗名を示すデータに応じた画像を表示部に表示させることができる。
【００４６】
（５）携帯端末装置と通信可能なサーバ装置を備え、サーバ装置が、店舗データ抽出手段を含む店舗情報表示システム。そのように構成された店舗情報表示システムは、携帯端末装置における処理負担を軽減することができる。
【産業上の利用可能性】
【００４７】
本発明は、テキスト入力機能を有する携帯電話機に効果的に適用できる。
【図面の簡単な説明】
【００４８】
【図１】店舗情報表示システムの最小の構成例を示すブロック図である。
【図２】本実施形態の店舗情報表示システムの概要を説明するための説明図である。
【図３】携帯端末のテキスト入力画面の例を示す説明図である。
【図４】本実施形態の店舗情報表示システムの動作を示すフローチャートである。
【符号の説明】
【００４９】
１      店舗データ抽出手段
２      候補店舗名表示制御手段
３      推奨店舗名表示制御手段
１０１  表示部
１０２  記憶部
１０３  文書作成手段
１１０  携帯端末装置
１４０  データベース
【図１】
2009175855.tif 000003
【図２】
2009175855.tif 000004
【図３】
2009175855.tif 000005
【図４】
2009175855.tif 000006